(57)【要約】【課題】  ロッドアンテナが短いながらも受信感度が良好なＦＭラジオ受信機を提供する。【解決手段】  ＦＭラジオ受信機１は、ラジオ本体１０に取り付けられたロッドアンテナ１１と、ラジオ本体１０の正面１０Ａを保護するガードバー５Ａとを有する。ガードバー５Ａの一端をリード線によってロッドアンテナに接続することにより、ガードバー５ＡをＦＭ放送受信用アンテナの一部として機能させる。これによって、ロッドアンテナ長さを従来よりも短くでき、折損を防止できる。【選択図】図２
2011166254.tif 000002
【特許請求の範囲】
【請求項１】
ラジオ本体に取り付けられたロッドアンテナと、
前記ラジオ本体の一部を構成する金属部材と、
を有し、
前記ロッドアンテナと前記金属部材とを金属製ワイヤを介して接続したことを特徴とするＦＭラジオ受信機。
【請求項２】
前記金属部材は、前記ラジオ本体の正面に取り付けられて前記正面を保護する棒部材であり、前記棒部材の一端が前記ロッドアンテナに前記ワイヤを介して接続されていることを特徴とする請求項１記載のＦＭラジオ受信機。
【請求項３】
前記棒部材は、対をなす２本の棒部材からなり、前記棒部材は、前記ラジオ本体の正面の側縁部近傍にそれぞれ固定されていることを特徴とする請求項２に記載のＦＭラジオ受信機。
【請求項４】
前記金属部材の長手方向の長さと前記ロッドアンテナの全長とを合わせた長さは、ＦＭラジオの周波数帯域に含まれる波長の４分の１波長に等しいことを特徴とする請求項１乃至３記載のＦＭラジオ受信機。
【請求項５】
前記ロッドアンテナは、前記ラジオ本体に対する取り付け部を回動中心にして所定角度範囲にて回動し、または傾斜可能であり、且つ前記金属部材の長手方向の長さよりも長いことを特徴とする請求項１乃至４に記載のＦＭラジオ受信機。
【発明の詳細な説明】
【技術分野】
【０００１】
本発明は、ＦＭラジオ受信機に関する。
【背景技術】
【０００２】
従来、ラジオのＦＭ用アンテナは、ラジオ本体の裏側にねじ止めされたロッドアンテナからなる。ロッドアンテナの一端が本体の裏側に固定され、この固定部はリード線によってラジオチューナに接続されている。また、ロッドアンテナは、受信感度を維持するために、伸縮自在に構成されている。
【発明の概要】
【発明が解決しようとする課題】
【０００３】
ロッドアンテナは、通常ＦＭラジオの中心受信周波数の４分の１波長と略同じ長さを有している。例えば、ＦＭ放送の中心受信周波数を８０ＭＨｚとした場合、４分の１波長は約９４ｃｍとなることから、ロッドアンテナは、９４ｃｍ程度の長さに形成されている。
【０００４】
しかしながら、ロッドアンテナは、長いと折損する可能性が高くなる。また、ラジオを狭い場所で使用する場合に、長いロッドアンテナが邪魔になってラジオの使い勝手を妨げることがあった。
【０００５】
本発明は、斯かる実情に鑑み、ＦＭラジオの受信感度を維持しながらもロッドアンテナの損傷を防ぐＦＭラジオ受信機を提供しようとするものである。
【課題を解決するための手段】
【０００６】
本発明のＦＭラジオ受信機は、ラジオ本体に取り付けられたロッドアンテナと、前記ラジオ本体の一部を構成する金属部材と、を有し、前記ロッドアンテナと前記金属部材とを金属製ワイヤを介して接続したことを特徴とする。
【０００７】
上記構成によって、金属製ワイヤを介してロッドアンテナに接続された金属部材は、アンテナとして機能する。従って、ＦＭラジオとしての受信感度を維持しながらも、ロッドアンテナの長さを従来よりも短くすることができる。
【０００８】
好ましくは、前記金属部材は、前記ラジオ本体の正面に取り付けられて前記正面を保護する棒部材であり、前記棒部材の一端が前記ロッドアンテナに前記ワイヤを介して接続されている。従って、例えば、ラジオ本体の正面を保護するために取り付けられている金属製の保護バーを、棒部材として利用でき、ロッドアンテナに金属ワイヤを介して接続することによりアンテナとして機能させることができる。
【０００９】
好ましくは、前記棒部材は、対をなす２本の棒部材からなり、前記棒部材は、前記ラジオ本体の正面の側縁部近傍にそれぞれ固定されている。棒部材を金属ワイヤによって直列に接続し、更にロッドアンテナに接続することによって、棒部材をアンテナの一部として機能させることができる。
【００１０】
好ましくは、前記金属部材の長手方向の長さと前記ロッドアンテナの全長とを合わせた長さは、ＦＭラジオの周波数帯域に含まれる波長の４分の１波長に等しい。従って、金属部材とロッドアンテナとからなるアンテナは、ＦＭラジオの受信に必要な受信感度を備えることができる。
【００１１】
好ましくは、前記ロッドアンテナは、前記ラジオ本体に対する取り付け部を回動中心にして所定角度範囲にて回動し、または傾斜可能であり、且つ前記金属部材の長手方向の長さよりも長い。ＦＭラジオの受信感度は、ロッドアンテナの指向性によって左右される。従って、ロッドアンテナの向きをラジオ本体に対して変更することによって、ＦＭラジオの受信感度を向上させることができる。
【発明の効果】
【００１２】
本発明によれば、金属部材をアンテナの一部として機能させることで、ロッドアンテナが短いながらも、受信感度の良いＦＭラジオ受信機を提供できる。従って、ロッドアンテナの折損が抑制されると共に、ラジオを使用する際に、ロッドアンテナが邪魔になることを防ぐ。
【図面の簡単な説明】
【００１３】
【図１】本発明によるＦＭラジオ受信機を示す正面図である。
【図２】図１に示すＦＭラジオ受信機のラジオ本体の内部を裏側から示す図である。
【発明を実施するための形態】
【００１４】
以下、本発明の実施の形態を添付図面を参照して説明する。なお、下記の記載において、上下、左右、及び前後の方向は、それぞれ図示した方向を指すものとする。
【００１５】
図１及び図２を参照すると、ＦＭラジオ受信機１は、ラジオ本体１０と、ロッドアンテナ１１とを有する。ラジオ本体１０は、外枠６の内部に取り付けられたチューナ４と、金属部材及び棒部材としての一対のガードバー５Ａ，５Ｂと、チューナ４に給電する電池パック１２とからなる。
ラジオ本体１０では、正面１０Ａの上部には、受信周波数などを表示する表示パネル２０と、受信周波数切替用の操作部２１と、音量調節用操作部２２とが配置され、下部には、２つのスピーカ２３が左右に並んで配置されている。
【００１６】
ガードバー５Ａ，５Ｂは、それぞれ長さＸの金属製の棒からなり、ラジオ本体１０の正面１０Ａの左右側縁部近傍に、上下方向に伸長するように配置されている。また、図２に示すように、各ガードバー５Ａ，５Ｂは、一端が正面１０Ａ裏側の取り付け部８にねじによって固定され、他端が正面１０Ａ裏側の取り付け部９にねじによって固定されている。また、ガードバー５Ａ，５Ｂは、ラジオ本体１０の正面１０Ａに配置されているので、ＦＭラジオ受信機１が転倒したときやＦＭラジオ受信機１に異物が干渉するような場合に備え、表示パネル２０や操作部２１、２２を破損や損傷から保護している。
【００１７】
ロッドアンテナ１１は、伸縮自在に形成され、伸展した状態で全長がＹとなる。また、ロッドアンテナ１１は、基端部が正面１０Ａ裏側の取り付け部７にねじによって取り付けられて、基端部を回動中心として少なくとも所定角度範囲に対して回動できるとともにラジオ本体１０に向けて傾斜可能である。また、ロッドアンテナ１１の取り付け部７は、ガードバー５Ａの取り付け部８の近傍に位置して、ガードバー５Ａの取り付け部８に金属製ワイヤとしてのリード線２を介して接続されている。この構成により、ロッドアンテナ１１とガードバー５Ａとは、機能的に一体化されてＦＭ放送のアンテナ１３を構成する。また、ロッドアンテナ１１の向きをラジオ本体１０に対して変更することによって、アンテナ１３の指向性を変更できる。ガードバー５Ａの他端は、リード線３によってチューナ４に接続されている。
【００１８】
電池パック１２は、例えば工事現場で使用されている電動工具等の電源として汎用されている電池パックと同じタイプの電池パックであり、各々が二次電池からなる複数の電池セルにて構成されている。
【００１９】
次に、ガードバー５Ａとロッドアンテナ１１の寸法について説明する。
【００２０】
ＦＭ放送の中心受信周波数を８０ＭＨｚとした場合、４分の１波長は約９４ｃｍとなる。従って、ＦＭ放送用のアンテナ１３は、伸展した状態で少なくとも９４ｃｍの長さを有することが好ましい。そこで、ロッドアンテナ１１とガードバー５Ａとは、リード線２を介して接続されてアンテナ１３として機能するときの長手方向の長さ（Ｘ＋Ｙ）が少なくとも９４ｃｍとなるように、それぞれの長さＸ，Ｙが決められている。
【００２１】
また、ＦＭ放送は、受信感度がアンテナの指向性に左右される。ロッドアンテナ１１は、基端部を回動中心にしてその指向性を変更できることから、ラジオ本体１０に固定されているガードバー５Ａよりも、長く形成することが好ましい。従って、ロッドアンテナの長さＹは、ガードバー５Ａの長さＸよりも長くなるように、それぞれの長さが決められている。
【００２２】
以上のように、ラジオ受信機１において、ガードーバー５Ａを、正面１０Ａの様々な操作部や部品の保護機能に加え、アンテナ１３の一部として機能させている。従って、ＦＭ放送の受信感度を良好に維持しながらも、ロッドアンテナ１１の伸展時の長さを短くすることができる。さらに、ロッドアンテナ１１の長さが短縮されたことにより、ロッドアンテナ１１の折損を防止することができる。
【００２３】
また、指向性を変更できるロッドアンテナ１１を、ガードバー５Ａよりも長くしているので、アンテナ１３の指向性を良好に維持することができる。
【００２４】
さらに、電池パック１２を電源として用いているので、長時間に亘るＦＭ放送の受信が可能である。
【００２５】
なお、ガードバー５Ａは、表面を樹脂によりコーティングされていてもよい。
【００２６】
また、上記構成に代えて、アンテナ１３を、ロッドアンテナ１１、ガードバー５Ａ及びガードバー５Ｂにより構成することもできる。この場合、ガードバー５Ａの他端をリード線によりガードバー５Ｂの他端に接続し、ガードバー５Ｂの一端をチューナ４にリード線により接続する。従って、ロッドアンテナ１１が伸展したときの長さをさらに短くできる。
【００２７】
さらに、金属部材として、ガードバーの他に、外枠６の内部に取り付けられたメタルプレートなどの適宜の金属製部材を用いることができる。
【００２８】
また、ＦＭラジオ受信機１は、電池パック１２に代えて、一次電池、或いは商用電源から給電することもできる。
【産業上の利用可能性】
【００２９】
本発明のＦＭラジオ受信機は、筐体の一部に金属が使用されるとともにロッドアンテナを利用してＦＭ放送を受信する適宜のＦＭラジオ受信機に利用することができる。
【符号の説明】
【００３０】
１  ラジオ受信機
２  金属製ワイヤ
５Ａ  ガードバー
１１  ロッドアンテナ
１３  アンテナ
【図１】
2011166254.tif 000003
【図２】
2011166254.tif 000004